(57)【要約】      （修正有）【課題】縦長又は横長の装飾部を展開することができるクリアファイルを提供する。【解決手段】平面方形状であって、外側シート部１１と内側シート部とにより形成され、ペーパーを収納及び取出しうる複数のフォルダ部１３、１３を有し、各フォルダ部１３、１３は一つの端縁部１４において互いに各フォルダ部１３、１３を形成する各外側シート部１１、１１が連続して展開するように、折曲可能に形成され、外側シート部１１、１１の外側面１５、１５には、装飾部１６が形成されている。【選択図】図１
0003199211.tif 000002
【実用新案登録請求の範囲】
【請求項１】
平面方形状であって、外側シート部と内側シート部とにより形成され、ペーパーを収納及び取出しうる複数のフォルダ部を有し、前記各フォルダ部は一つの端縁部において互いに前記各フォルダ部を形成する各外側シート部が連続して展開するように、折曲可能に形成され、前記外側シート部の外側面には、装飾部が形成されていることを特徴とするクリアファイル。
【請求項２】
平面長方形であって、前記各フォルダ部は一方の短辺部において互いに前記各フォルダ部を形成する各外側シート部が連続して展開するように、開閉可能に接合されていることを特徴とする請求項１記載のクリアファイル。
【請求項３】
前記各フォルダ部には、前記各内側シート部を互いに開閉可能に係止しうる係止部が設けられていることを特徴とする請求項１記載のクリアファイル。
【請求項４】
前記各フォルダ部は一対で構成されていることを特徴とする請求項２記載のクリアファイル。
【請求項５】
前記装飾部は、各種図形、文字、写真又はキャラクターからなることを特徴とする請求項１記載のクリアファイル。
【考案の詳細な説明】
【技術分野】
【０００１】
本考案は、クリアファイルに関するものである。
【背景技術】
【０００２】
従来より、書類等の各種のペーパーを一時的に保管したり、持ち運んだりするためにクリアファイルが使用されている。一般的なクリアファイルは、例えば、長方形状のシートを長さ方向に沿って中間部において折曲して縦長長方形状に重ね合わせ、一対のシート部を形成し、一方の幅方向端部を互いに溶着して内部にフォルダ部を形成して、各種のペーパーを収納できるように構成されている。
現在、前記各種のペーパーはＡ４サイズのものが多く使用されているため、一般的なクリアファイルはＡ４サイズに形成されているものがほとんどである。
【０００３】
さて、一般的なクリアファイルには、前記シート部の表面に図形、文字、写真又はキャラクター等の装飾を施したものもあり、需要者への訴求効果や広告宣伝効果を得ている。
なかんずく、観光地の写真や漫画、アニメのキャラクター等の装飾を施したクリアファイルは、高い訴求効果を有しているため、本来のクリアファイルとしての利用のみならず、鑑賞やコレクションの対象としても扱われるようになっている。
【０００４】
ここで、観光地の写真は、例えば、高い電波塔の全景や風景のパノラマ写真のように、縦長又は横長で構成されることが多い。また、漫画、アニメのキャラクターにおいても、例えば、キャラクターの全身を描く場合には、縦長の装飾として構成することになる。
従って、クリアファイルにおいて、縦長又は横長の装飾部を構成することができれば、従来に比してさらに高い訴求効果を有するクリアファイルを提供することができる。
【０００５】
本件実用新案登録出願人はこのような観点から先行技術調査を行い、例えば特許文献１のような文献を発見した。特許文献１には、例えばＡ３の書類を、開いた状態で収納可能なクリアファイルであって、このクリアファイルに２つ折り可能な折りすじと、切り離し可能なミシン目または切り取り線を入れ、閉じた状態で該サイズの１／２のサイズの書類を収納可能としたクリアファイルが開示されている。
【０００６】
特許文献１に開示されたクリアファイルは、Ａ３のクリアファイルを２つ折りした場合にＡ４になるように構成されているため、大きな書類をバッグ等に入れるために二つ折りにすることができるという技術である。
Ａ３サイズはＡ４サイズの２倍の面積を有しており、従来より大きな装飾を施すことができる一方で、Ａ３サイズの縦横比はＡ４サイズの縦横比と同じであるため、縦長又は横長の装飾部を構成することができる技術ではなかった。
【特許文献１】実用新案登録第３１４７０２３号公報
【考案の開示】
【考案が解決しようとする課題】
【０００７】
本考案は、以上のような従来からの不具合を解決するためのものであって、その課題は、縦長又は横長の装飾部を展開することができるクリアファイルを提供することにある。
【課題を解決するための手段】
【０００８】
前記課題を解決するために、請求項１に記載の考案にあっては、平面方形状であって、外側シート部と内側シート部とにより形成され、ペーパーを収納及び取出しうる複数のフォルダ部を有し、前記各フォルダ部は一つの端縁部において互いに前記各フォルダ部を形成する各外側シート部が連続して展開するように、折曲可能に形成され、前記外側シート部の外側面には、装飾部が形成されていることを特徴とする。
【０００９】
従って、前記各フォルダ部の端縁部において前記各外側シート部が展開された場合には、展開された前記各外側シート部の外側面に装飾部が展開される。
【００１０】
請求項２に記載の考案にあっては、平面長方形であって、前記各フォルダ部は一方の短辺部において互いに前記各フォルダ部を形成する各外側シート部が連続して展開するように、開閉可能に接合されていることを特徴とする。
【００１１】
従って、前記各外側シート部が展開された場合には、前記各外側シート部の外側面に前記フォルダ部の長辺部の整数倍の長さ寸法を有する装飾部が展開される。
【００１２】
請求項３に記載の考案にあっては、前記各フォルダ部には、前記各内側シート部を互いに開閉可能に係止しうる係止部が設けられていることを特徴とする。
【００１３】
従って、前記各内側シート部は、前記係止部によって互いに開閉可能に係止される。
【００１４】
請求項４に記載の考案にあっては、前記各フォルダ部は一対で構成されていることを特徴とする。
【００１５】
従って、一対の前記外側シート部が展開された場合には、前記外側シート部の外側面に前記フォルダ部の長辺部の２倍の長さ寸法を有する装飾部が展開される。
【００１６】
請求項５に記載の考案にあっては、前記装飾部は、各種図形、文字、写真又はキャラクターからなることを特徴とする。
【００１７】
従って、前記各フォルダ部の端縁部において前記各外側シート部が展開された場合には、各種図形、文字、写真又はキャラクターが付された装飾部が展開される。
【考案の効果】
【００１８】
請求項１、２及び４に記載のクリアファイルにあっては、前記各フォルダ部の端縁部において前記各外側シート部が展開された場合には、展開された前記各外側シート部の外側面に装飾部が展開されるので、前記各外側シート部を展開した場合には縦長又は横長の装飾部を展開することができると共に、前記各フォルダ部を閉じ合わせた場合にはコンパクトにすることができるクリアファイルを提供することができる。
【００１９】
特に、請求項２に記載のクリアファイルにあっては、前記各フォルダ部の短辺部において前記各外側シート部が展開された場合には、前記各外側シート部の外側面に前記フォルダ部の長辺部の整数倍の長さ寸法を有する装飾部が展開されるので、縦長又は横長の装飾部を容易に展開し、又は閉じ合わせることができるクリアファイルを提供することができる。
【００２０】
また、さらに、請求項４に記載のクリアファイルにあっては、一対の前記外側シート部が展開された場合には、前記外側シート部の外側面に前記フォルダ部の長辺部の２倍の長さ寸法を有する装飾部が展開されるので、縦に長い装飾、又は横に長い装飾を施すことができると共に、一対の前記フォルダ部を閉じ合わせた場合にはコンパクトにすることができるクリアファイルを提供することができる。
【００２１】
請求項３に記載のクリアファイルにあっては、前記各内側シート部は、前記係止部によって互いに開閉可能に係止されるので、必要な場合に前記各フォルダ部を展開することができると共に、前記各フォルダ部を閉じ合わせた場合に、前記各フォルダ部を確実に固定することができる。
【００２２】
請求項５に記載のクリアファイルにあっては、前記各フォルダ部の端縁部において前記各外側シート部が展開された場合には、各種図形、文字、写真又はキャラクターが付された装飾部が展開されるので、縦に長い装飾、又は横に長い装飾、例えば、キャラクターの全身像や、高さのある電波塔の写真等を装飾として採用することができる。
その結果、各種図形、文字、写真又はキャラクターによる需要者への訴求効果の高いクリアファイルを提供することができる。
【図面の簡単な説明】
【００２３】
【図１】図１は、本考案に係るクリアファイルの一実施の形態において、各フォルダ部を展開した状態を外側シート部側から示す斜視図である。
【図２】図２は、本考案に係るクリアファイルの一実施の形態において、各フォルダ部を展開した状態を内側シート部側から示す斜視図である。
【図３】図３は、本考案に係るクリアファイルの一実施の形態において、各フォルダ部を閉じ合わせた状態を外側シート部側から示す斜視図である。
【考案を実施するための最良の形態】
【００２４】
以下、添付図面に示す実施の形態に基づき、本考案を詳細に説明する。
図１及び図２に示すように、本考案の一実施の形態に係るクリアファイル１０は、合成樹脂により平面長方形状に構成され、外側シート部１１と内側シート部１２とにより形成され、ペーパーを収納及び取出しうる一対のフォルダ部１３、１３を有している。
【００２５】
また、図１及び図２に示すように、本実施の形態に係る一対のフォルダ部１３、１３は一方の短辺部１４、１４において互いに一対のフォルダ部１３、１３を形成する一対の外側シート部１１、１１が展開するように、折曲可能に形成され、外側シート部１１、１１の外側面１５、１５には、夫々、装飾部１６が形成されている。
【００２６】
また、図２に示すように、本実施の形態に係る一対のフォルダ部１３、１３には、一対の内側シート部１２、１２を互いに開閉可能に係止しうる係止部１７、１７が設けられている。
また、図１に示すように、本実施の形態に係る装飾部１６は、電波塔の写真１８により構成されている。
【００２７】
本実施の形態に係るクリアファイル１０の構成について、添付図面を用いてより詳細に説明する。
本実施の形態に係るクリアファイル１０にあっては、図１に示すように、一対のフォルダ部１３、１３を形成する外側シート部１１、１１はＡ４サイズの大きさのシートを縦長方向に連続配置した大きさの一枚の合成樹脂製シート２４により形成され、長さ方向中間部において幅方向に沿って直線状の折曲部２６が形成され、長さ方向に沿って折り畳むことができるように構成されている。
【００２８】
また、図２に示すように、本実施の形態に係るフォルダ部１３は、合成樹脂製シート２４の一方面に、内側シート部１２、１２を構成するＡ４版の合成樹脂製シート２５、２５を配設することにより形成されており、夫々の合成樹脂製シート２５、２５の一方の長辺部１９、１９と、一方の短辺部１４、１４に対向する他方の短辺部２０、２０とにおいて、夫々、外側シート部１１と内側シート部１２とが互いに溶着されることにより形成されている。
また、図２に示すように、本実施の形態に係る一対の内側シート部１２、１２において、互いに近接して対向配置されている一方の短辺部１４、１４と、一方の長辺部１９、１９に対向する他方の長辺部２２、２２との間には、円弧状に形成されたコーナー部２１、２１が設けられている。
【００２９】
その結果、本実施の形態に係るクリアファイル１０にあっては、夫々のフォルダ部１３、１３の一方の短辺部１４、１４が互いに近接して配置され、一方の短辺部１４、１４の間において、合成樹脂製シート２４の長さ方向中間部に形成された折曲部２６を介してＡ４版の二つのフォルダ部１３、１３が長さ方向に連設されている。
そして、本実施の形態に係るクリアファイル１０にあっては、夫々のフォルダ部１３、１３において、短辺部１４及び長辺部２２が開閉でき、外側シート部１１と内側シート部１２との間に夫々、Ａ４サイズのペーパーを複数枚収納できるように構成されている。
【００３０】
また、図２に示すように、本実施の形態に係る一対の内側シート部１２、１２には、他方の長辺部２２に沿って、夫々、切欠部２３、２３が半円状に欠設されている。
また、図２に示すように、本実施の形態に係る係止部１７、１７は、平面円形状に形成された一対の面ファスナーにより構成されている。
【００３１】
以下、本実施の形態に係るクリアファイル１０の作用について、添付図面を用いて説明する。
本実施の形態に係るクリアファイル１０にあっては、図３に示すように、一対のフォルダ部１３、１３の一方の短辺部１４、１４において、一対のフォルダ部１３、１３を閉じ合わせた状態から、一方の短辺部１４において、一対の外側シート部１１、１１を展開して使用する。
この際、図１に示すように、一対のフォルダ部１３、１３の一方の短辺部１４において、一対の外側シート部１１、１１が展開された場合には、外側シート部１１の外側面１５、１５にフォルダ部１３の長辺部の長さ寸法Ｌ１の２倍の長さ寸法Ｌ２を有する装飾部１６が展開されるように構成されている。
特に、本実施の形態に係るクリアファイル１０にあっては、夫々のフォルダ部１３、１３がＡ４版に形成されているので、Ａ４版の長さ寸法Ｌ１の２倍の長さ寸法Ｌ２を有する装飾部１６が展開されるので、電波塔の写真１８のように縦に長い装飾を施すことができる。
その結果、需要者への訴求効果の高いクリアファイルを提供することができる。
【００３２】
また、図２に示すように、本実施の形態に係るクリアファイル１０にあっては、一対の外側シート部１１、１１を展開した状態において、一対の外側シート部１１、１１と一対の内側シート部１２、１２との間に設けられた一対のフォルダ部１３、１３にペーパーを収納し、又は一対のフォルダ部１３、１３からペーパーを取り出すことができる。
特に、本実施の形態に係るクリアファイル１０にあっては、夫々のフォルダ部１３、１３がＡ４版に形成されているので、夫々のフォルダ部１３、１３の外側シート部１１と内側シート部１２との間に夫々、Ａ４サイズのペーパーを複数枚収納できるように構成されている。
この際、図２に示すように、本実施の形態に係る一対の内側シート部１２、１２のコーナー部２１、２１は、夫々、円弧状に欠設されているので、クリアファイル１０の使用者は、内側シート部１２、１２をめくりやすく、ペーパーを収納又は取り出しやすいという効果を奏すると共に、クリアファイル１０の使用者がペーパーを収納又は取り出す際に指を怪我してしまうといった事態を防止することができる。
また、図２に示すように、本実施の形態に係る一対の内側シート部１２、１２には、夫々、切欠部２３、２３が設けられているので、切欠部２３、２３からフォルダ部１３に収納されたペーパーをつまむことができる。その結果、収納されたペーパーを取り出しやすいクリアファイル１０を提供することができる。
【００３３】
また、本実施の形態に係るクリアファイル１０は、前記のようにペーパーを収納又は取り出した後に、図３に示すように、再び一方の短辺部１４において、一対の外側シート部１１、１１を閉じ合わせることで、コンパクトにすることができる。
この際、図２に示すように、本実施の形態に係るクリアファイル１０にあっては、一対の内側シート部１２、１２は、係止部１７、１７によって互いに開閉可能に係止されるので、一対のフォルダ部１３、１３を閉じ合わせた場合に、一対のフォルダ部１３、１３を確実に固定することができると共に、必要な場合に一対のフォルダ部１３、１３を展開することができる。
【００３４】
本実施の形態に係るクリアファイル１０にあっては、平面長方形であって、一対のフォルダ部１３、１３は一方の短辺部１４において互いに一対のフォルダ部１３、１３を形成する一対の外側シート部１１、１１が展開するように、開閉可能に接合されている場合を例に説明したが、前記構成に限定されず、平面方形状であって、外側シート部と内側シート部とにより形成され、ペーパーを収納及び取出しうる複数のフォルダ部を有し、前記各フォルダ部は一つの端縁部において互いに前記各フォルダ部を形成する各外側シート部が連続して展開するように、開閉可能に接合され、前記外側シート部の外側面には、装飾部が形成されるように構成されていればよい。
【００３５】
また、本実施の形態に係るクリアファイル１０にあっては、一対のフォルダ部１３、１３を形成する外側シート部１１、１１はＡ４サイズの大きさのシートを縦長方向に連続配置した大きさの一枚の合成樹脂製シート２４により形成され、本実施の形態に係るフォルダ部１３は、合成樹脂製シート２４の一方面に、内側シート部１２、１２を構成するＡ４版の合成樹脂製シート２５、２５を配設することにより形成されている場合を例に説明したが、前記構成に限定されず、外側シート部と内側シート部とを一枚の合成樹脂製シートにより形成してもよい。
【００３６】
本実施の形態に係るクリアファイル１０にあっては、一対のフォルダ部１３、１３を形成する外側シート部１１、１１はＡ４サイズの大きさのシートを縦長方向に連続配置した大きさの一枚の合成樹脂製シート２４により形成され、長さ方向中間部において幅方向に沿って直線上の折曲部２６が形成され、長さ方向に沿って折り畳むことができるように構成されている場合を例に説明したが、前記構成に限定されるものではない。
【００３７】
本実施の形態に係るクリアファイル１０にあっては、係止部１７、１７が設けられ、係止部１７、１７が面ファスナーで構成されている場合を例に説明したが、前記構成に限定されず、一対の内側シート部を互いに開閉可能に係止することができるように構成すればよく、また、係止部を設けないことも可能である。
【００３８】
本実施の形態に係るクリアファイル１０にあっては、装飾部１６が電波塔の写真１８により構成されている場合を例に説明したが、前記構成に限定されず、
各種図形、文字又はキャラクターによって構成してもよい。特に、縦に長い装飾、又は横に長い装飾、例えば、キャラクターの全身像や、風景のパノラマ写真等を装飾として採用した場合は、需要者への訴求効果の高いクリアファイルを提供することができる。
【産業上の利用可能性】
【００３９】
本考案は、クリアファイルに広く適用可能であり、産業上利用可能性を有している。
【符号の説明】
【００４０】
１０：クリアファイル
１１：外側シート部
１２：内側シート部
１３：フォルダ部
１４：短辺部
１５：外側面
１６：装飾部
１７：係止部
１８：写真
１９：長辺部
２０：短辺部
２１：コーナー部
２２：長辺部
２３：切欠部
２４：合成樹脂製シート
２５：Ａ４版の合成樹脂製シート
２６：折曲部
Ｌ１：フォルダ部の長さ寸法
Ｌ２：装飾部の長さ寸法
【図１】
0003199211.tif 000003
【図２】
0003199211.tif 000004
【図３】
0003199211.tif 000005